(57)【要約】【課題】緩衝装置を取り付けるために戸板に別途穴加工を施す必要がなく、折戸の意匠を損なうことなく折戸の正面に取付けることが可能な緩衝装置を提供する。【解決手段】緩衝装置６０は、一方の戸板１１の正面に固着された第1の緩衝機構ユニット７１と、他方の戸板１２の正面に固着された第２の緩衝機構ユニット７２と、両ユニット７１、７２に掛け渡して設けられたカバー体７３とを備える。折戸１０の閉じ際に両ユニット７１、７２の当接体１０１、１０２同士が当接し、両戸板１１、１２相互の閉鎖方向への回動に伴って両当接体１０１、１０２同士が押圧し合うことにより両ユニット７１、７２のダンパ９１、９２が同時に圧縮され、且つ、折戸１０を完全に閉じたときにカバー体７３によって両ユニット７１、７２が隠された状態になる。【選択図】図４
2008248595.tif 000002
【特許請求の範囲】
【請求項１】
一方の戸板と他方の戸板とが互いに水平回動自在に接続されてなる折戸の閉じ際における回動を制動するべく折戸の正面に取り付けられる緩衝装置であって、
前記一方の戸板の正面の前記他方の戸板との連結端部に固着された第1の緩衝機構ユニットと、
前記他方の戸板の正面の前記一方の戸板との連結端部に固着された第２の緩衝機構ユニットと、
両ユニットに掛け渡して設けられたカバー体とを備え、
第１の緩衝機構ユニットは、
前記一方の戸板に固着された固定部材と、
当該固定部材に保持され前記他方の戸板側から水平方向に圧縮され反発するダンパと、
当該固定部材に水平方向にスライド可能に保持されるとともに当該ダンパによって前記一方の戸板の端縁から突出するように付勢された当接体とを備え、
第２の緩衝機構ユニットは、
前記他方の戸板に固着された固定部材と、
当該固定部材に保持され前記一方の戸板側から水平方向に圧縮され反発するダンパと、
当該固定部材に水平方向にスライド可能に保持されるとともに当該ダンパによって前記他方の戸板の端縁から突出するように付勢された当接体とを備え、
前記カバー体は、
その一方の端部が第１の緩衝機構ユニットの当接体に水平方向にスライド可能に連結されるとともにそのもう一方の端部が第２の緩衝機構ユニットの当接体に水平方向にスライド可能に連結されており、
折戸の閉じ際に両ユニットの当接体同士が当接し、両戸板相互の閉鎖方向への回動に伴って両当接体同士が押圧し合うことにより両ユニットのダンパが同時に圧縮され、且つ、折戸を完全に閉じたときに前記カバー体によって両ユニットの少なくともダンパが隠された状態になるように構成したことを特徴とする緩衝装置。
【請求項２】
折戸を閉じたときに前記カバー体によって両ユニットが隠された状態になるように構成したことを特徴とする請求項１の緩衝装置。
【発明の詳細な説明】
【技術分野】
【０００１】
本発明は、シンクキャビネットや吊り戸棚等の建具或いは食器棚、書棚等の家具などに装備される折戸装置に関し、特に、折戸を閉める際の戸板相互の急激な回動を制動する緩衝装置に関する。
【背景技術】
【０００２】
折戸は、少なくとも二つの戸板を備え、相隣り合う戸板同士を蝶番を介して互いに水平方向に回動自在に連結するとともに、戸板の上端部をその上方に敷かれたレールにランナーを介して移動自在に支持することにより、戸板相互が回動しながら開閉する構造になっている。
【０００３】
このように折戸は戸板相互が回動しながら開閉する構造上、閉めた時に戸板が左右の戸枠に当接するとともに戸板相互の木口面同士が当接する。このため折戸を閉めた際に戸板が最後まで急激に回動すると大きな衝撃音や振動が発生する。この衝撃が折戸や戸枠に繰り返し加わることが部品の損傷や劣化を早める原因となる。また一旦最後まで閉まった戸板が衝撃により跳ね返り、戸板相互が折れ曲がった姿態で半閉まり状態になるという折戸特有の問題もある。この種の問題を解決するには、折戸を閉める際の戸板相互の急激な回動を緩衝装置で制動することが有効である。
【０００４】
従来、戸板の閉め際における急激な回動を制動する緩衝装置として、蝶番を介して戸板（扉）を取り付けた戸枠（框）の内側側面部に、戸板（扉）の木口面に当接して戸板（扉）の回動を制動する力を及ぼすダンパを埋設したものが知られている。この種のダンパは、戸枠（框）に埋設されたシリンダ内に、戸枠（框）の内側側面から出没するピストンとこれを常時突出させる側に付勢する復元ばねとを備え、戸板（扉）の極閉め際に戸板（扉）の木口面がピストンに当接し、復元ばねの反発力に抗してピストンが押されることにより、復元ばねの反発力をピストンを介して戸板（扉）に作用させる。（特許文献１、２）
【特許文献１】実開昭５３−１６６６１号公報
【特許文献２】実開昭５９−１１１２７９号公報
【発明の開示】
【発明が解決しようとする課題】
【０００５】
上述した従来の緩衝装置を折戸に取り付けるためには、ダンパを埋設するための取付穴を戸板に形成する必要があるため、緩衝装置を取り付けるために戸板に別途穴加工などを施さなければならない。また、従来の緩衝装置は、折戸の意匠が損なわれてしまうという理由から、折戸の正面すなわち折戸を閉じた状態において外側（手前側）から見える側の面に取り付けるということはなされ難かった。
【０００６】
本発明が解決しようとする課題は、緩衝装置を取り付けるために戸板に別途穴加工を施す必要がなく、且つ、折戸の閉じた状態における意匠を損なうことなく折戸の正面に取付けることが可能な緩衝装置を提供することにある。
【課題を解決するための手段】
【０００７】
上記課題を解決するために、本発明の第1の構成の緩衝装置は、一方の戸板と他方の戸板とが互いに水平回動自在に接続されてなる折戸の閉じ際における回動を制動するべく折戸の正面に取り付けられる緩衝装置であって、前記一方の戸板の正面の前記他方の戸板との連結端部に固着された第1の緩衝機構ユニットと、前記他方の戸板の正面の前記一方の戸板との連結端部に固着された第２の緩衝機構ユニットと、両ユニットに掛け渡して設けられたカバー体とを備え、第１の緩衝機構ユニットは、前記一方の戸板に固着された固定部材と、当該固定部材に保持され前記他方の戸板側から水平方向に圧縮され反発するダンパと、当該固定部材に水平方向にスライド可能に保持されるとともに当該ダンパによって前記一方の戸板の端縁から突出するように付勢された当接体とを備え、第２の緩衝機構ユニットは、前記他方の戸板に固着された固定部材と、当該固定部材に保持され前記一方の戸板側から水平方向に圧縮され反発するダンパと、当該固定部材に水平方向にスライド可能に保持されるとともに当該ダンパによって前記他方の戸板の端縁から突出するように付勢された当接体とを備え、前記カバー体は、その一方の端部が第１の緩衝機構ユニットの当接体に水平方向にスライド可能に連結されるとともにそのもう一方の端部が第２の緩衝機構ユニットの当接体に水平方向にスライド可能に連結されており、折戸の閉じ際に両ユニットの当接体同士が当接し、両戸板相互の閉鎖方向への回動に伴って両当接体同士が押圧し合うことにより両ユニットのダンパが同時に圧縮され、且つ、折戸を完全に閉じたときに前記カバー体によって両ユニットの少なくともダンパが隠された状態になるように構成したことを特徴としている。
【０００８】
本発明の緩衝装置は、折戸を閉じたときに前記カバー体によって両ユニットが隠されるように構成されることが望ましい。
【発明の効果】
【０００９】
上記のように構成された緩衝装置は、両戸板の正面に緩衝機構ユニットをそれぞれ固着することにより折戸に取り付けられるので、緩衝装置を取り付けるために戸板に別途穴加工を施す必要がない。また、この緩衝装置は、折戸を完全に閉じたときにカバー体によって両ユニットの少なくともダンパが隠された状態になるので、折戸の閉じた状態における意匠を損なうことなく折戸の正面に取付けることができる。
【発明を実施するための最良の形態】
【００１０】
以下、本発明の実施形態について図面を参照して説明する。
［第１の形態例］
図１は本発明に係る緩衝装置を備えた折戸装置の正面図である。図２は図１に示す折戸装置の要部を拡大して示した斜視図である。図３は図１に示す折戸装置の要部を拡大して示した平面図である。
【００１１】
折戸装置１は、左右一対の戸板１１、１２を蝶番２１、２２、２３により互いに水平方向に回動自在に連結してなる折戸１０と、折戸１０の上方に敷かれたレール３０と、折戸１０をレール３０に吊り下げた状態でレール３０に沿って移動自在に支持しているランナー４１、４２と、レール３０が取り付けられた戸枠５０と、折戸１０の閉じ際における戸板１１、１２相互の急激な回動を制動すべく装備された緩衝装置６０とを備えている。蝶番２１、２２、２３は、折戸用の蝶番として広く用いられている公知の蝶番である。蝶番２１、２２、２３は、いわゆるキャッチ機構を備えており、折戸１０を閉じる際に両戸板１１、１２相互間の角度が略１２５度以上になると、そのキャッチ機構が作動して、折戸１０を強制的に全閉状態に誘導する。この例では、緩衝装置６０は、三つの蝶番２１、２２、２３のうち最も高い位置に設けられた蝶番２１と折戸１０の上端縁との中間位置に設けられている。
【００１２】
緩衝装置６０は、一方の戸板１１の正面の他方の戸板１２との連結端部に固着された第1の緩衝機構ユニット７１と、他方の戸板１２の正面の一方の戸板１１との連結端部に固着された第２の緩衝機構ユニット７２と、両ユニット７１、７２に掛け渡して設けられたカバー体７３とを備えている。
【００１３】
第１の緩衝機構ユニット７１は、一方の戸板１１に固着された固定部材８１と、固定部材８１に保持され他方の戸板１２側から水平方向に圧縮され反発するダンパ９１と、固定部材８１に水平方向にスライド可能に保持されるとともにダンパ９１によって一方の戸板１１の端縁から突出するように付勢された当接体１０１とを備えている。
【００１４】
固定部材８１は、樹脂製又は金属製の板状の部材であり、その複数箇所に図示しない螺子孔（締結部材挿通孔）が形成されており、螺子孔を通して螺子（締結部材）を戸板１１の正面にねじ込んで締め付けることにより、戸板１１に固定されている。螺子孔には螺子の頭部が係合するようになっている。固定部材８１の他方の戸板１２に面する側縁８１ａは、戸板１１の側面とほぼ面一になるように設けられる。固定部材８１には、ダンパホルダ１１１が設けられており、このダンパホルダ１１１にダンパ９１が保持されている。ダンパホルダ１１１の上下外側部には水平方向（ダンパ９１の圧縮・反発方向）に延びる一対のガイド突起１１１ａが形成されている。
【００１５】
ダンパ９１は、ダンパホルダ１１１に挿入され固定されたダンパ本体と、ダンパ本体９１ａの先端から突出して水平方向に進退移動する図示しないピストン軸とを備えている。
【００１６】
当接体１０１は、ダンパ９１のピストン軸に固定されており、ダンパホルダ１１１に対してスライドしつつピストン軸と共に水平方向に進退移動するようになっている。当接体１０１は、ダンパホルダ１１１の上下のガイド突起１１１ａとスライド可能に嵌合しているスライド部（当接体本体）１０１Ａと、スライド部１０１Ａの上下両端縁部から手前側に張り出して形成された上下一対のカバー支持部１０１Ｂとからなる。スライド部１０１Ａは、その先端面（当接部）１０１ａを固定部材８１の側縁８１ａから突出させるべくダンパ９１により常時付勢されている。両カバー支持部１０１Ｂには、水平方向に延びる同形同寸の円弧状のガイドスリット１０１ｂが形成されている。
【００１７】
第２の緩衝機構ユニット７２は、他方の戸板１２に固着された固定部材８２と、固定部材８２に保持され一方の戸板１１側から水平方向に圧縮され反発するダンパ９２と、固定部材８２に水平方向にスライド可能に保持されるとともにダンパ９２によって他方の戸板１２の端縁から突出するように付勢された当接体１０２とを備えている。
【００１８】
固定部材８２は、樹脂製又は金属製の板状の部材であり、その複数箇所に図示しない螺子孔（締結部材挿通孔）が形成されており、螺子孔を通して螺子（締結部材）を戸板１２の正面にねじ込んで締め付けることにより、戸板１２に固定されている。螺子孔には螺子の頭部が係合するようになっている。取付部材８２の他方の戸板１１に面する側縁部８２ａは、戸板１２の側面とほぼ面一になるように設けられる。固定部材８２には、ダンパホルダ１１２が設けられており、このダンパホルダ１１２にダンパ９２が保持されている。ダンパホルダ１１２の上下外側部には水平方向に延びる一対のガイド突起１１２ａが形成されている。一方、当接体１０２には、ダンパホルダ１１２の上下のガイド突起１１２ａとスライド可能に嵌合した図示しない一対の被ガイド溝が形成されている。
【００１９】
当接体１０２は、ダンパ９２のピストン軸に固定されており、ダンパホルダ１１２に対してスライドしつつピストン軸と共に水平方向に進退移動するようになっている。当接体１０２は、ダンパホルダ１１２の上下のガイド突起１１２ａとスライド可能に嵌合しているスライド部（当接体本体）１０２Ｂと、スライド部１０２Ｂの上下両端縁部から手前側に張り出して形成された上下一対のカバー支持部１０２Ｂとからなる。スライド部１０２Ａは、その先端面（当接部）１０２ａを固定部材８２の側縁８２ａから突出させるべくダンパ９２により常時付勢されている。両カバー支持部１０２Ｂには、水平方向に延びる同形同寸の円弧状のガイドスリット１０２ｂが形成されている。
【００２０】
カバー体７３は、折戸１０を閉じたときに両ユニット７１、７２に覆い被さるようにして両ユニット７１、７２を同時に収容できるように形成された横長の箱状の部材である。カバー体７３の前面部は、水平方向に緩やかにカーブした凸曲面になっている。
【００２１】
カバー体７３内の左右両端近傍の折戸１０寄りの位置には、カバー体７３の上下両端部に掛け渡すようにして一対のガイド軸７４Ｌ、７４Ｒが設けられている。一方（正面から見て左側）のガイド軸７４Ｌは、第１の緩衝機構ユニット７１の上下のカバー支持部１０１Ｂのガイドスリット１０１ｂに挿通されており、当接体１０１に対してガイドスリット１０１ｂに沿って水平方向に円弧状の軌道を描きつつ移動する。もう一方の（正面から見て右側）のガイド軸７４Ｒは、第２の緩衝機構ユニット７２の上下のカバー支持部１０２Ｂのガイドスリット１０２ｂに挿通されており、当接体１０２に対してガイドスリット１０２ｂに沿って水平方向に円弧状の軌道を描きつつ移動する。このような構成により、カバー体７３は、その一方の端部が第１の緩衝機構ユニット７１の当接体１０１に水平方向にスライド可能に連結されるとともにそのもう一方の端部が第２の緩衝機構ユニット７２の当接体１０２に水平方向にスライド可能に連結されている。
【００２２】
次に、上記のように構成された緩衝装置６０の動作について説明する。
【００２３】
図４は折戸装置１の開閉時における一連の状態を示す部分平面図である。図５は折戸装置１の開閉時における一連の状態を示す部分斜視図である。図４、図５において、（ａ）は折戸１０が全開の状態であり、このときカバー体７３の両ガイド軸７４Ｌ、７４Ｒは両緩衝機構ユニット７１、７２のガイドスリット１０１ｂ、１０２ｂの先端近傍（折戸を開く側へのガイド軸の移動限界位置）にあり、両緩衝機構ユニット７１、７２が外から見える状態になっている。この状態から折戸１０を閉めていくと、カバー体７３の両ガイド軸７４Ｌ、７４Ｒが両緩衝機構ユニット７１、７２のガイドスリット１０１ｂ、１０２ｂの基端（折戸を閉じる側へのガイド軸の移動限界位置）側に相対的に移動していき、それに伴って、（ｂ）に示すようにカバー体７３が両緩衝機構ユニット７１、７２に被さっていく。そして（ｂ）の状態を経て、（ｃ）の状態すなわち折戸１０の折曲角度が略１２５度になった時点で、蝶番２１、２２、２３のキャッチ機構が作動し、その働きにより折戸１０が強制的に（ｄ）の状態すなわち全閉状態まで誘導される。その際、蝶番２１、２２、２３のキャッチ機構の作動開始後から折戸１０が全閉状態になるまでの間の所定のタイミングで、両緩衝機構ユニット７１、７２の当接体１０１、１０２同士が当接し、両戸板１１、１２相互の閉鎖方向への回動に伴って両当接体１０１、１０２同士が押圧し合うことにより両緩衝機構ユニット７１、７２のダンパ９１、９２が同時に圧縮され、緩衝装置６０による制動力が効き始める。これにより、折戸１０は閉め際における両戸板１１、１２相互の急激な回動が制動されつつ、全閉状態まで静かに誘導される。そして、（ｄ）の状態すなわち全閉状態では両緩衝機構ユニット７１、７２はカバー体７３によって完全に隠される。
【００２４】
上記のように、この緩衝装置６０は、両緩衝機構ユニット７１、７２の固定部材８１、８２を戸板１１、１２に螺子で締着することにより折戸１０に取り付けることができるので、緩衝装置６０を取り付けるために戸板１１、１２に別途穴加工を施す必要がない。したがって、この緩衝装置６０によれば、緩衝機構を備えた折戸装置１を従来よりも少ない工数で製造することができる。また、この緩衝装置６０は、二つのダンパ９１、９２を同時に働かせるように構成されているので、折戸１０の閉め際における両戸板１１、１２相互の急激な回動を二つのダンパ９１、９２による強い緩衝力によって確実に制動できる。また、この緩衝装置６０は、折戸１０を完全に閉じたときにカバー体７３によって両緩衝機構ユニット７１、７２が完全に隠された状態になるので、折戸１０の閉じた状態における意匠を損なうことなく折戸１０の正面に取付けることができる。意匠（形状、模様、色彩、質感など）の異なる複数種類のカバー体７３を提供し、その中から任意のカバー体７３を選択できるようにしておけば、折戸１０の様々な意匠に適応させることができ、正面に緩衝装置６０が取り付けられていることによる違和感を生じさせない意匠的に優れた折戸装置１を実現できる。また、両緩衝機構ユニット７１、７２の間がカバー体７３によって覆われているので、折戸１０の閉じ際に両緩衝機構ユニット７１、７２の間に手の指が挟まれるといった危険性を低減できる。
なお、本例では、折戸１０を完全に閉じたときにカバー体７３によって両緩衝機構ユニット７１、７２が完全に隠された状態になるように構成したが、ダンパ９１、９２のみが隠れるように構成しても良い。
また、上記の例では、上荷重式の折戸装置について説明したが、本発明の緩衝装置は下荷重式の折戸装置に装備しても有効に機能する。
【図面の簡単な説明】
【００２５】
【図１】本発明に係る緩衝装置を備えた折戸装置の正面図
【図２】図１に示す折戸装置の要部を拡大して示した斜視図
【図３】図１に示す折戸装置の要部を拡大して示した平面図
【図４】折戸装置の開閉時における一連の状態を示す部分平面図
【図５】折戸装置の開閉時における一連の状態を示す部分斜視図
【符号の説明】
【００２６】
１  折戸装置
１０  折戸
１１  戸板
１２  戸板
６０  緩衝装置
７１  第1の緩衝機構ユニット
７２  第２の緩衝機構ユニット
７３  カバー体
７４Ｌ、７４Ｒ  ガイド軸
８１  固定部材
９１  ダンパ
９２  ダンパ
１０１  当接体
１０１ｂ  ガイドスリット
１０２  当接体
１０２ｂ  ガイドスリット
１１１ａ  ガイド突起
【図１】
2008248595.tif 000003
【図２】
2008248595.tif 000004
【図３】
2008248595.tif 000005
【図４】
2008248595.tif 000006
【図５】
2008248595.tif 000007